【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
最も光入射側に配置され、光入射側の面が凸形状の保護レンズと、開口絞りと、光学系Ａと、該光学系Ａと異なる光学特性を有する光学系Ｂを有する撮像光学系と、
前記撮像光学系を収容し、外部の媒質と内部の媒質を隔離する筐体と、
前記筐体の外部の媒質に応じて、前記光学系Ａまたは前記光学系Ｂのいずれか一方を、前記撮像光学系の光路中の前記開口絞りの像側に選択的に配置する切り替え手段を有することを特徴とする撮像装置。
【請求項２】
前記保護レンズは前記筐体に固定保持されていることを特徴とする請求項１に記載の撮像装置。
【請求項３】
前記光学系Ａと前記光学系Ｂはいずれも２枚以下のレンズより構成されることを特徴とする請求項１又は２に記載の撮像装置。
【請求項４】
前記光学系Ａの焦点距離をｆＡ、前記光学系Ｂの焦点距離をｆＢ、前記保護レンズの光入射側のレンズ面の曲率半径をＧ１Ｒ１とするとき、
０．０４＜（ｆＡ−ｆＢ）×Ｇ１Ｒ１／（ｆＡ×ｆＢ）＜１．８０
なる条件式を満足することを特徴とする請求項１乃至３のいずれか１項に記載の撮像装置。
【請求項５】
前記保護レンズの光入射側のレンズ面の曲率半径をＧ１Ｒ１、前記撮像光学系のレンズ全長をＬとするとき、
０．５０＜Ｇ１Ｒ１／Ｌ＜３．００
なる条件式を満足することを特徴とする請求項１乃至４のいずれか１項に記載の撮像装置。
【請求項６】
前記撮像光学系の光路中に前記光学系Ａが配置されているときにおける前記光学系Ａの最も光入射側のレンズ面頂点から像面までの距離をＫＡ、前記撮像光学系の光路中に前記光学系Ｂが配置されているときにおける前記光学系Ｂの最も光入射側のレンズ面頂点から像面までの距離をＫＢ、前記撮像光学系のレンズ全長をＬとするとき、
０．０２＜ＫＡ／Ｌ＜０．６０
０．０２＜ＫＢ／Ｌ＜０．６０
なる条件式を満足することを特徴とする請求項１乃至５のいずれか１項に記載の撮像装置。
【請求項７】
前記光学系Ｂは１枚以上の正レンズを有し、前記光学系Ｂの中で屈折力の最も高い正レンズＢｐの材料のアッベ数をνｄＢとするとき、
１０．０＜νｄＢ＜６２．０
なる条件式を満足することを特徴とする請求項１乃至６のいずれか１項に記載の撮像装置。
【請求項８】
前記撮像光学系の光路中に前記光学系Ａが配置されているときの全系の焦点距離をｆＷＡ、前記撮像光学系の光路中に前記光学系Ｂが配置されているときの全系の焦点距離をｆＷＢとするとき、
０．８０＜ｆＷＢ／ｆＷＡ＜１．０２
なる条件式を満足することを特徴とする請求項１乃至７のいずれか１項に記載の撮像装置。
【請求項９】
前記筐体の外部の媒質のｄ線に対する屈折率をｎｄとしたとき、前記筐体の外部の媒質が、
１．１０＜ｎｄ＜１．５０
なる条件式を満足する媒質であるとき、
前記切り替え手段は、前記撮像光学系の光路中に前記光学系Ｂを配置することを特徴とする請求項１乃至８のいずれか１項に記載の撮像装置。
【請求項１０】
前記光学系Ａは１枚以上の正レンズを有し、前記光学系Ｂは１枚以上の正レンズを有し、
前記光学系Ａに含まれる正レンズのうち屈折力の最も大きい正レンズＡｐの材料のアッベ数をνｄＡ、前記光学系Ｂに含まれる正レンズのうち屈折力の最も大きい正レンズＢｐの材料のアッベ数をνｄＢとするとき、
１．００＜νｄＡ／νｄＢ＜５．００
なる条件式を満足することを特徴とする請求項１乃至９のいずれか１項に記載の撮像装置。
【請求項１１】
前記光学系Ａは１枚以上の正レンズを有し、前記光学系Ｂは１枚以上の正レンズを有し、前記光学系Ａに含まれる正レンズのうち屈折力の最も大きい正レンズＡｐの材料のｄ線に対する屈折率をｎｄＧＡ、前記光学系Ｂに含まれる正レンズのうち屈折力の最も大きい正レンズＢｐの材料のｄ線に対する屈折率をｎｄＧＢとするとき、
１．００≦ｎｄＧＢ／ｎｄＧＡ＜１．６０
なる条件式を満足することを特徴とする請求項１乃至１０のいずれか１項に記載の撮像装置。
【請求項１２】
最も光入射側に配置され、光入射側の面が凸形状の保護レンズと、開口絞りと、光学系Ｃを有する撮像光学系と、
前記撮像光学系を収容し、外部の媒質と内部の媒質を隔離する筐体と、
前記筐体の外部の媒質に応じて、前記光学系Ｃを前記撮像光学系の光路中の前記開口絞りよりも像側に挿脱する挿脱手段を有することを特徴とする撮像装置。
【請求項１３】
前記保護レンズは前記筐体に固定保持されていることを特徴とする請求項１２に記載の撮像装置。
【請求項１４】
前記光学系Ｃは２枚以下のレンズより構成されることを特徴とする請求項１２又は１３に記載の撮像装置。
【請求項１５】
前記光学系Ｃの焦点距離をｆＣ、前記保護レンズの光入射側のレンズ面の曲率半径をＧ１Ｒ１とするとき、
０．０４＜（１／ｆＣ）×Ｇ１Ｒ１＜１．８０
なる条件式を満足することを特徴とする請求項１２乃至１４のいずれか１項に記載の撮像装置。
【請求項１６】
前記保護レンズの光入射側のレンズ面の曲率半径をＧ１Ｒ１、前記撮像光学系のレンズ全長をＬとするとき、
０．５０＜Ｇ１Ｒ１／Ｌ＜３．００
なる条件式を満足することを特徴とする請求項１２乃至１５のいずれか１項に記載の撮像装置。
【請求項１７】
前記撮像光学系の光路中に前記光学系Ｃが配置されているときにおける前記光学系Ｃの最も光入射側のレンズ面頂点から像面までの距離をＫＣ、前記撮像光学系のレンズ全長をＬとするとき、
０．０２＜ＫＣ／Ｌ＜０．６０
なる条件式を満足することを特徴とする請求項１２乃至１６のいずれか１項に記載の撮像装置。
【請求項１８】
前記光学系Ｃは１枚以上の正レンズを有し、前記光学系Ｃの中で屈折力の最も高い正レンズＣｐの材料のアッベ数をνｄＣとするとき、
１０．０＜νｄＣ＜６２．０
なる条件式を満足することを特徴とする請求項１２乃至１７のいずれか１項に記載の撮像装置。
【請求項１９】
前記光学系Ｃが前記撮像光学系の光路中に配置されているときの全系の焦点距離をｆＷＣ１、前記光学系Ｃが前記撮像光学系の光路中に配置されていないときの全系の焦点距離をｆＷＣ２とするとき、
０．８０＜ｆＷＣ１／ｆＷＣ２＜１．０２
なる条件式を満足することを特徴とする請求項１２乃至１８のいずれか１項に記載の撮像装置。
【請求項２０】
前記筐体の外部の媒質のｄ線に対する屈折率をｎｄとしたとき、前記筐体の外部の媒質が、
１．１０＜ｎｄ＜１．５０
なる条件式を満足する媒質であるとき、
前記挿脱手段は、前記撮像光学系の光路中に前記光学系Ｃを挿入することを特徴とする請求項１２乃至１９のいずれか１項に記載の撮像装置。
【手続補正２】
【補正対象書類名】明細書
【補正対象項目名】００１１
【補正方法】変更
【補正の内容】
【００１１】
本発明の撮像装置は、最も光入射側に配置され、光入射側の面が凸形状の保護レンズと、開口絞りと、光学系Ａと、該光学系Ａと異なる光学特性を有する光学系Ｂを有する撮像光学系と、
前記撮像光学系を収容し、外部の媒質と内部の媒質を隔離する筐体と、
前記筐体の外部の媒質に応じて、前記光学系Ａまたは前記光学系Ｂのいずれか一方を、前記撮像光学系の光路中の前記開口絞りの像側に選択的に配置する切り替え手段を有することを特徴としている。
【手続補正３】
【補正対象書類名】明細書
【補正対象項目名】００１２
【補正方法】変更
【補正の内容】
【００１２】
この他、本発明の撮像装置は、最も光入射側に配置され、光入射側の面が凸形状の保護レンズと、開口絞りと、光学系Ｃを有する撮像光学系と、
前記撮像光学系を収容し、外部の媒質と内部の媒質を隔離する筐体と、
前記筐体の外部の媒質に応じて、前記光学系Ｃを前記撮像光学系の光路中の前記開口絞りよりも像側に挿脱する挿脱手段を有することを特徴としている。
【手続補正４】
【補正対象書類名】明細書
【補正対象項目名】００１５
【補正方法】変更
【補正の内容】
【００１５】
以下に、本発明の好ましい実施の形態を、添付の図面に基づいて詳細に説明する。本発明の撮像装置は、最も光入射側に配置され、光入射側の面が凸形状の保護レンズと、開口絞りと、光学系Ａと、光学系Ａと異なる光学特性を有する光学系Ｂを有する撮像光学系と、撮像光学系を収容し、外部の媒質と内部の媒質を隔離する筐体とを有している。
【手続補正５】
【補正対象書類名】明細書
【補正対象項目名】００１６
【補正方法】変更
【補正の内容】
【００１６】
更に、筐体の外部の媒質に応じて光学系Ａまたは光学系Ｂのいずれか一方を、撮像光学系の光路中の開口絞りの像側に選択的に配置する切り替え手段を有する。ここで光学系Ａが光路中に配置されるときを撮像状態Ａ、光学系Ｂが光路中に配置されるときを撮像状態Ｂという。
【手続補正６】
【補正対象書類名】明細書
【補正対象項目名】００１７
【補正方法】変更
【補正の内容】
【００１７】
この他、本発明の撮像装置は、最も光入射側に配置され、光入射側の面が凸形状の保護レンズと、開口絞りと、光学系Ｃを有する撮像光学系と、撮像光学系を収容し、外部の媒質と内部の媒質を隔離する筐体とを有している。更に筐体の外部の媒質に応じて光学系Ｃを撮像光学系の光路中に挿脱する挿脱手段を有する。ここで光学系Ｃが光路中に配置されないときを撮像状態Ａ、光学系Ｃが光路中に配置されているときを撮像状態Ｂという。
【手続補正７】
【補正対象書類名】明細書
【補正対象項目名】００９８
【補正方法】変更
【補正の内容】
【００９８】
また、［e+X］は［×10＋ｘ］を意味し、［e-X］は［×10-x］を意味している。ＢＦはレンズ最終面から近軸像面までの距離（バックフォーカス）を空気換算したものである。レンズ全長はレンズ最前面からレンズ最終面までの距離にバックフォーカスＢＦを加えたものである。非球面は面番号の後に*を付加して示す。また、距離ＫＡ、ＫＢ、ＫＣは、光学系Ａ、又は光学系Ｂの最も物体側のレンズ面頂点からレンズ最終面までの距離にバックフォーカスＢＦを加えたものである。また各条件式と数値データにおける諸数値の関係を表１に示す。